(57)【要約】【課題】シートの種類に応じて、重送によるシートの停止処理を変更することが可能なシート搬送装置、画像形成装置及びシート搬送制御方法を提供する。【解決手段】シート（記録紙）の重送を検出し、重送の検出結果に基づいてシートの搬送を停止するシート搬送装置を備える画像形成装置１００において、搬送されるシートの種類を受付け、受付けたシートの種類が所定の種類（例えば封筒、ＯＨＰシート、ケント紙、又は和紙）でない場合、重送の検出によってシートの搬送を停止し、受付けたシートの種類が所定の種類の場合、重送が検出されてもシートの搬送を停止しない。【選択図】図１
2007168928.tif 000002
【特許請求の範囲】
【請求項１】
シートの重送を検出する重送検出手段と、該重送検出手段の検出結果に基づいてシートの搬送を停止する停止手段とを備えるシート搬送装置において、
搬送されるシートの種類を受付ける受付手段を備え、
前記停止手段は、受付手段が受付けたシートの種類及び前記重送検出手段の検出結果に基づいてシートの搬送を停止するように構成してあることを特徴とするシート搬送装置。
【請求項２】
前記停止手段は、受付手段が受付けたシートの種類が所定の種類でない場合、前記重送検出手段の重送の検出によってシートの搬送を停止するように構成してあることを特徴とする請求項１記載のシート搬送装置。
【請求項３】
前記所定の種類のシートは、内部に空気層を有するシートであることを特徴とする請求項２記載のシート搬送装置。
【請求項４】
前記所定の種類のシートは、封筒、ＯＨＰシート、又はケント紙の何れかであることを特徴とする請求項２記載のシート搬送装置。
【請求項５】
手差しトレイを備え、該手差しトレイにセットされたシートを搬送するように構成してあることを特徴とする請求項４記載のシート搬送装置。
【請求項６】
請求項１乃至５の何れかひとつに記載のシート搬送装置と、
該シート搬送装置が搬送するシートに画像を形成する画像形成手段と
を備えることを特徴とする画像形成装置。
【請求項７】
シートの重送を検出し、重送の検出結果に基づいてシートの搬送を停止するシート搬送制御方法において、
搬送されるシートの種類を受付け、
受付けたシートの種類及び重送の検出結果に基づいてシートの搬送を停止する
ことを特徴とするシート搬送制御方法。
【請求項８】
受付けたシートの種類が内部に空気層を有するシートでない場合、重送の検出によってシートの搬送を停止することを特徴とする請求項７記載のシート搬送制御方法。
【発明の詳細な説明】
【技術分野】
【０００１】
本発明は、シートの重送の検出結果に基づいてシートの搬送を停止するシート搬送装置、該シート搬送装置を備える画像形成装置、及び、シートの重送の検出結果に基づいてシートの搬送を停止するシート搬送制御方法に関する。
【背景技術】
【０００２】
スキャナ機能、プリンタ機能、及びファクシミリ機能などの複数機能を有する複合機又はプリンタのような記録紙に画像を形成する画像形成装置は、給紙カセット又は手差しトレイから記録紙を搬送する際に、湿度又は静電気などの影響により、記録紙が１枚ずつ分離して搬送されず、２枚以上の記録紙が重なって搬送される重送が生じる場合がある。
【０００３】
そこで、重送を検出する重送センサを設け、重送を検出した場合は、記録紙の搬送を一旦停止させるとともに、露光処理、現像処理、転写処理、及び定着処理などの画像形成処理も停止させ、その後記録紙を排出している。重送センサとしては例えば超音波センサが用いられている。超音波センサの出力レベルは、記録紙と記録紙の間に形成される空気層に応じて変化するため、出力レベルの変化に基づいて記録紙の重送を検出することができる（特許文献１参照）。超音波センサを用いた場合、記録紙に非接触であるため、記録紙の搬送を阻害することなく、また記録紙の厚みによらず重送の検出を行える。
【特許文献１】特開２００４−４１８１号公報
【発明の開示】
【発明が解決しようとする課題】
【０００４】
しかし、記録紙と記録紙との間の空気層に応じた超音波センサの出力レベルの変化に基づいて記録紙の重送を検出するため、例えば封筒などの内部に空気層を有する記録紙を搬送する場合は、１枚のみ搬送していても重送が検出され、印刷処理が停止されるという問題を有する。また、封筒以外に、保護シートを添えて付着させるＯＨＰ（OverHead Projector）シート、２枚のシートを貼り合せたケント紙などの内部に空気層を有する場合も、１枚のみ搬送していても重送が検出され、印刷処理が停止される。また、空気層が分布している和紙などの記録紙も、１枚のみ搬送していても重送が検出され、印刷処理が停止される。そのため、画像形成処理が行えないという問題が生じる。
【０００５】
本発明は斯かる事情に鑑みてなされたものであり、搬送されるシートの種類を受付け、受付けたシートの種類及び重送の検出結果に基づいてシートの搬送を停止するように構成したことにより、シートの種類に応じて、重送によるシートの停止処理を変更することが可能なシート搬送装置、画像形成装置及びシート搬送制御方法を提供することを目的とする。
【０００６】
また、本発明は、受付けたシートの種類が所定の種類でない場合、重送の検出によってシートの搬送を停止するように構成したことにより、所定の種類のシートに対して、重送が検出された場合であっても搬送を停止させないシート搬送装置及び画像形成装置を提供することを他の目的とする。
【０００７】
また、本発明は、前記所定の種類のシートは、内部に空気層を有するシートであることにより、重送の誤検出による停止処理の実行を防止し、画像形成を可能にしたシート搬送装置、画像形成装置及びシート搬送制御方法を提供することを他の目的とする。
【０００８】
また、本発明は、前記所定の種類のシートは、封筒、ＯＨＰシート、又はケント紙の何れかであることにより、重送の誤検出による停止処理の実行を防止し、画像形成を可能にしたシート搬送装置及び画像形成装置を提供することを他の目的とする。
【０００９】
また、本発明は、手差しトレイを備え、該手差しトレイにセットされたシートを搬送するように構成してあることにより、前記所定の種類のシートを手差しトレイにセットして搬送することができるシート搬送装置及び画像形成装置を提供することを他の目的とする。
【課題を解決するための手段】
【００１０】
本発明に係るシート搬送装置は、シートの重送を検出する重送検出手段と、該重送検出手段の検出結果に基づいてシートの搬送を停止する停止手段とを備えるシート搬送装置において、搬送されるシートの種類を受付ける受付手段を備え、前記停止手段は、受付手段が受付けたシートの種類及び前記重送検出手段の検出結果に基づいてシートの搬送を停止するように構成してあることを特徴とする。
【００１１】
本発明に係るシート搬送装置は、前記停止手段は、受付手段が受付けたシートの種類が所定の種類でない場合、前記重送検出手段の重送の検出によってシートの搬送を停止するように構成してあることを特徴とする。
【００１２】
本発明に係るシート搬送装置は、前記所定の種類のシートは、内部に空気層を有するシートであることを特徴とする。
【００１３】
本発明に係るシート搬送装置は、前記所定の種類のシートは、封筒、ＯＨＰシート、又はケント紙の何れかであることを特徴とする。
【００１４】
本発明に係るシート搬送装置は、手差しトレイを備え、該手差しトレイにセットされたシートを搬送するように構成してあることを特徴とする。
【００１５】
本発明に係る画像形成装置は、上述した本発明の何れかひとつのシート搬送装置と、該シート搬送装置が搬送するシートに画像を形成する画像形成手段とを備えることを特徴とする。
【００１６】
本発明に係るシート搬送制御方法は、シートの重送を検出し、重送の検出結果に基づいてシートの搬送を停止するシート搬送制御方法において、搬送されるシートの種類を受付け、受付けたシートの種類及び重送の検出結果に基づいてシートの搬送を停止することを特徴とする。
【００１７】
本発明に係るシート搬送制御方法は、受付けたシートの種類が内部に空気層を有するシートでない場合、重送の検出によってシートの搬送を停止することを特徴とする。
【００１８】
本発明においては、受付手段が受付けたシートの種類及び重送検出手段の検出結果に基づいて停止手段がシートの搬送を停止するため、シートの種類に応じて、重送によるシートの停止処理を変更することが可能となる。例えば所定の種類のシートに対しては、重送が検出された場合に搬送を停止したり、あるいは逆に、所定の種類のシートに対しては、重送が検出された場合であっても搬送を停止させないことが可能となる。
【００１９】
本発明においては、受付手段が受付けたシートの種類が所定の種類でない場合、前記重送検出手段の重送の検出によって前記停止手段がシートの搬送を停止するため、所定の種類のシートに対しては、重送の検出による停止処理を禁止し、重送が検出された場合であっても搬送を停止させないことができる。なお、所定の種類のシートに対しては、重送の検出自体を停止することも可能である。
【００２０】
本発明においては、前記所定の種類のシートは内部に空気層を有するシートであり、空気層によって重送が検出されるが、前記所定の種類のシートに対しては重送が検出された場合であっても停止処理を行わないため、重送の検出による停止処理の実行を防止し、例えば画像形成手段にシートを搬送して画像形成を実行することが可能になる。内部に空気層を有するシートとしては、封筒、ＯＨＰシート、ケント紙、又は和紙などがある。
【００２１】
本発明においては、前記所定の種類のシートは封筒、ＯＨＰシート、又はケント紙の何れかであり、封筒は２枚のシートが重なっており、ＯＨＰシートは保護シートを添えてあり、ケント紙は２枚のシートを貼り合せており、何れも２枚のシートが重なって空気層を有するため、重送が検出されるが、前記所定の種類のシートに対しては重送が検出された場合であっても停止処理を行わないため、重送の誤検出による停止処理の実行を防止し、例えば画像形成手段にシートを搬送して画像形成を実行することが可能になる。
【００２２】
本発明においては、手差しトレイを備え、手差しトレイにセットされたシートを搬送するため、前記所定の種類のシートを手差しトレイにセットして搬送することができる。特に、封筒、ＯＨＰシート、又はケント紙は、搬送を良好に行うために、手差しトレイにセットされる場合が多い。
【発明の効果】
【００２３】
本発明によれば、シートの種類に応じて、重送によるシートの停止処理を変更することが可能である。
【００２４】
本発明によれば、所定の種類のシートに対しては、重送が検出された場合であっても搬送を停止させなくなる。
【００２５】
本発明によれば、重送の誤検出による停止処理の実行を防止し、画像形成を行うことが可能になる。
【００２６】
本発明によれば、前記所定の種類のシートを手差しトレイにセットして搬送することができる。
【発明を実施するための最良の形態】
【００２７】
以下、本発明をその実施の形態を示す図面に基づいて具体的に説明する。
図１は本発明に係るシート搬送装置を備える画像形成装置１００の概略構成を示す模式図である。図において、１は原稿を載置するガラス製の載置台である。載置台１の上側には、原稿載置トレイ２０に載置された原稿を搬送する自動原稿搬送部２を備える。また、載置台１の下側には、載置台１上の原稿の画像を読取る画像読取部３０を有するスキャナ部３を備える。
【００２８】
画像読取部３０は、載置台１の下面に沿って平行に往復移動する走査ユニット、結像レンズ、及びＣＣＤ（Charge Coupled Device）ラインセンサ（いずれも不図示）などを有する。走査ユニットは、載置台１に載置された原稿又は搬送経路に沿って搬送される原稿に光を照射するための光源、原稿で反射された光を所定の光路に導くためのミラーなどを備えている。結像レンズは、走査ユニットから導かれた光をＣＣＤラインセンサ上の所定の位置に結像させる。ＣＣＤラインセンサは、結像された光像を光電変換して電気信号を出力する。画像読取部３０は、原稿から読み取ったカラー画像に基づいて、Ｒ（赤）、Ｇ（緑）、Ｂ（青）の各色成分に色分解したデータを後述するプロセス制御部４３へ出力する。プロセス制御部４３へ出力されたデータは、所定の画像データ処理が施される。
【００２９】
スキャナ部３の下側には、画像読取部３０が読取った画像を記録紙（シート）に形成する画像形成部（画像形成手段）４を備える。画像形成部４は、電子写真プロセス部４０、定着装置４１、光書込みユニット４２、記録紙を収容するための手差しトレイ４４、上述した電子写真プロセス部４０と定着装置４１と光書込みユニット４２を制御するプロセス制御部４３などを備えている。
【００３０】
電子写真プロセス部４０は、回転駆動される感光ドラム、該感光ドラムの表面に形成された静電潜像を現像する現像装置、及び感光ドラム表面のトナー像を記録紙に転写する転写装置などを備えている。定着装置４１は、定着ローラを有し、記録紙に転写形成されたトナー像を高温加圧することにより、トナー像を記録紙に定着させる。
【００３１】
光書込みユニット４２は、画像読取部３０で読取った画像データ、又は、外部のパーソナルコンピュータなどから入力された画像データに基づく画像に応じて変調されたドット光を発する半導体レーザ素子、該半導体レーザ素子から発せられるレーザ光を主走査方向に偏向させるためのポリゴンミラー、該ポリゴンミラーにより偏向されたレーザ光を感光ドラムの表面に結像させるためのレンズ及びミラー（いずれも不図示）などを備えている。
【００３２】
画像形成部４の下側には、記録紙を収容する記録紙収容部６１、…を３段に亘って上下方向に配置した多段給紙ユニット６を備える。各記録紙収容部６１には異なるサイズの記録紙が収容されており、出力画像を形成する際、所望のサイズの記録紙が選択され、選択された記録紙は、電子写真プロセス部４０へ搬送される。
【００３３】
電子写真プロセス部４０の上流側の搬送路には、記録紙を画像形成のタイミングに合わせて搬送するレジストローラ４５を設けてあり、レジストローラ４５と手差しトレイ４４及び多段給紙ユニット６との間の搬送路には、搬送路を間にして対置され、超音波を発信する発信部８ａ及び該発信部８ａで発信された超音波を受信する受信部８ｂを有する超音波センサ８を設けている。
【００３４】
また、画像形成部４の側面には、記録紙の後処理（例えば、ソート処理、ステープル処理など）を行う後処理部５を配置している。後処理部５は、画像が形成された記録紙を排出するための排出用のトレイ５１ａ（第１のトレイ）、５１ｂ（第２のトレイ）、５１ｃ（第３のトレイ）、いずれのトレイに記録紙を排出するかを切り換えるためのガイド５２、５３、排出する記録紙を搬送する搬送ローラ５０などを備えている。
【００３５】
各トレイ５１ａ、５１ｂ、５１ｃには、トレイに排出された記録紙の有無を検出する記録紙センサ５４ａ、５４ｂ、５４ｃを設けてあり、記録紙センサ５４ａ、５４ｂ、５４ｃ夫々は、各トレイ上の記録紙の有無を検出して、検出結果を制御部１０（図２参照）へ出力する。手差しトレイ４４、記録紙収容部６１、トレイ５１ａ、５１ｂ、５１ｃ、搬送路中のレジストローラ４５及び搬送ローラ５０などがシート搬送装置として動作している。
【００３６】
図２は本発明に係る画像形成装置１００の内部構成を示すブロック図である。画像形成装置１００は、各種の演算処理を行うＣＰＵ（Central Processing Unit）などの制御部１０を備える。制御部１０には、内部バスを介して画像読取部３０、ＨＤＤ（Hard Disk Drive）などの記憶部１１、ＲＯＭ（Read Only Memory）１２、ＲＡＭ（Random Access Memory）１３、インタフェース部１４、超音波センサ８、画像処理部１５、バッファメモリ１６、画像形成部４、操作部１８などが接続されており、制御部１０は、これらのハードウエア各部の動作を制御する。
【００３７】
ＲＯＭ１２は、制御部１０の制御手順を示す制御プログラムを予め記憶している。制御部１０のＣＰＵがＲＯＭ１２に記憶されている制御プログラムをＲＡＭ１３にロードすることにより、制御部１０は制御プログラムで示された制御手順に従って画像形成装置１００の動作を制御する。画像読取部３０は、上述したように原稿からの反射光をＣＣＤラインセンサで光電変換して、得られたアナログ信号をＡ／Ｄ変換器でデジタル信号に変換する。画像読取部３０は、変換して得られたデジタル信号に対して原稿読取時の光源の配向特性、イメージセンサの感度ムラなどの補正を行い、制御部１０の制御により、得られた画像データを記憶部１１に記憶する。
【００３８】
画像処理部１５は、記憶部１１に記憶された画像データに基づいて、感光体ドラム表面に静電潜像を形成するための半導体レーザ光を制御するためのデータ（画像形成用データ）を記録紙１枚毎に生成し、生成したデータをバッファメモリ１６へ一時的に記憶する。画像処理部１５は、画像形成用データを生成する都度、何枚目の記録紙に形成するためのデータを生成したかを示す計数信号を制御部１０へ出力する。これにより、制御部１０は、何枚目までの記録紙の画像形成用データが、すでに生成済であるかを判定することができる。
【００３９】
画像形成部４は、制御部１０の制御により、バッファメモリ１６に記憶された画像形成用データに基づいて、記録紙上に画像を形成する。記録紙の搬送は制御部１０により制御される。画像形成部４は、記録紙に画像を形成する都度、何枚目の記録紙に画像を形成したかを示す出力信号を制御部１０へ出力する。これにより、制御部１０は、すでに生成された画像形成用データのうち、何枚目の記録紙まで画像が形成済であるかを判定することができる。なお、画像形成部４は、電子写真方式に限定されるものではなく、インクジェット方式、熱転写方式などいずれのものでもよい。
【００４０】
超音波センサ（重送検出手段）８は、手差しトレイ４４及び多段給紙ユニット６からの搬送路の合流点とレジストローラ４５との間の搬送路において、記録紙の重送を検出し、検出結果を制御部１０へ出力する。なお、記録紙の重送は、本来記録紙が１枚ずつ分離されて搬送されるべきところ、２枚の記録紙が重なり合って搬送される状態をいう。
【００４１】
図３は超音波センサ８の構成を示すブロック図である。超音波センサ８は、例えば、発振周波数が約２２０ｋＨｚの駆動波形信号を発生する発振回路８ｃ、発振回路８ｃが発生した駆動波形信号を増幅する増幅回路８ｄ、駆動波形信号を発信する発信部８ａ、発信部８ａが発信した信号を受信する受信部８ｂ、受信部８ｂで受信した信号を広帯域（例えば、２２０ｋＨｚ±２０ｋＨｚ）にわたって検出する共振回路８ｅ、受信した信号を増幅する増幅回路８ｆ、及び増幅された信号をデジタル信号に変換するＡ／Ｄ変換回路８ｇなどを備える。
【００４２】
超音波センサ８は、搬送される記録紙に対して発信部８ａから信号を発信し、発信された信号を受信部８ｂで受信した検出信号を制御部１０へ出力することで、信号のエネルギの大小に基づいて、搬送される記録紙の枚数、すなわち、重送を検出する。超音波センサ８としては、例えば、株式会社村田製作所のＭＡ２００Ｄ１−１を用いることが可能である。なお、重送を検出する手段としては、超音波センサに限定されるものではなく、他のセンサを用いることも可能である。
【００４３】
制御部１０は図示しないピックアップローラを駆動制御して、手差しトレイ４４又は記録紙収容部６１から記録紙を搬送路に送り込み、レジストローラ４５及び搬送ローラ５０などの搬送路中のローラを駆動制御して記録紙を搬送する。また、制御部１０は図示しないガイド駆動部を制御してガイド５２、５３の切り換えを行う。例えば、所要の印刷処理を行う場合、画像が形成された記録紙は、第１のトレイ５１ａに排出されるようにガイド５２、５３を切り換える。
【００４４】
操作部１８は、タッチパネル方式の操作パネルであり、利用者の操作指示を受け付ける各種キー及びスイッチと、利用者に対して報知する情報を表示する液晶ディスプレイとを備えている。操作部１８は、例えば、重送が検出された場合に、エラーメッセージなどを表示する。また、操作部（受付手段）１８は搬送する記録紙の種類を受付ける。
【００４５】
インタフェース部１４は、外部のパーソナルコンピュータのような情報処理装置から画像データを取得し、取得した画像データを記憶部１１に記憶する。
【００４６】
図４は記録紙の重送の例を示す図であり、図の例では２枚の記録紙の先端部同士がずれた場合の重送検出信号の出力レベルのタイムチャートを示している。超音波センサ８の受信部８ｂで受信した信号のエネルギ（例えば、透過エネルギ）は、信号が透過する記録紙の枚数に応じて変化する。例えば、記録紙がない場合は、受信する信号のエネルギはＥ０、記録紙が１枚の場合は、受信する信号のエネルギはＥ１（Ｅ０＞Ｅ１）、記録紙が２枚重なった場合は、受信する信号のエネルギはＥ２（Ｅ１＞Ｅ２）である。
【００４７】
時刻ｔ１において、信号のエネルギがＥ０からＥ１に変化したことにより、次の記録紙が搬送されたことを検出できる。記録紙の重送が生じた場合、例えば、時刻ｔ２において信号のエネルギがＥ１からＥ２に変化し、時刻ｔ３において信号のエネルギはＥ２からＥ１に変化する。受信した信号のエネルギのレベル差（Ｅ１−Ｅ２）により、２枚の記録紙が、その先端部がずれた状態で重送されていることを検出できる。また、記録紙の搬送速度、及び時刻ｔ２とｔ１との時間差により、記録紙がどの程度の長さがずれて重送されているのか算出することもできる。
【００４８】
制御部１０は、超音波センサ８から出力された検出結果（検出信号のレベル）に基づいて、重送の有無を判定する。制御部（停止手段）１０は、操作部１８（受付手段）が受付けた記録紙（シート）の種類及び超音波センサ８の検出結果に基づいてシート搬送を一旦停止すると共に印刷処理を中止し、その後、記録紙を排出させる。より詳しくは、制御部１０は、操作部１８が受付けた記録紙の種類が所定の種類でない場合、重送の検出によって記録紙の搬送を停止し、操作部１８が受付けた記録紙の種類が所定の種類の場合、重送が検出されても記録紙の搬送を停止しない。また、前記所定の種類の記録紙は、内部に空気層を有する記録紙であり、例えば封筒、保護シートを添えて付着させるＯＨＰシート、２枚のシートを貼り合わせたケント紙、又は空気層が分布する和紙である。
【００４９】
図５は記録紙への画像形成処理の手順を示すフローチャートである。制御部１０は、操作部１８から記録紙の種類を受付けた（Ｓ１０）後、スタートキーなどの印刷指示があるか否かを判定する（Ｓ１１）。印刷指示がない場合（Ｓ１１：ＮＯ）、制御部１０は、印刷指示があるまで待機する。
【００５０】
印刷指示があった場合（Ｓ１１：ＹＥＳ）、制御部１０は、搬送路中のローラなどを駆動して記録紙の搬送を行う（Ｓ１２）。制御部１０は、超音波センサ８の信号に基づいて記録紙の重送が検出されているか否かを判定する（Ｓ１３）。記録紙の重送が検出されていない場合（Ｓ１３：ＮＯ）、制御部１０は、画像形成部４を制御して記録紙に印刷を行い（Ｓ１４）、印刷された記録紙をトレイ（例えば、第１のトレイ５１ａ）に排出する（Ｓ１５）。
【００５１】
制御部１０は、最終頁であるか否かを判定し（Ｓ１６）、最終頁でない場合（Ｓ１６：ＮＯ）、ステップＳ１２以降の処理を続ける。最終頁の場合（Ｓ１６：ＹＥＳ）、制御部１０は、画像形成処理を終了する。
【００５２】
一方、重送が検出された場合（Ｓ１３：ＹＥＳ）、制御部１０は、記録紙が所定の種類（封筒、ＯＨＰシート、又はケント紙）の場合（Ｓ１７：ＹＥＳ）、画像形成部４を制御して記録紙に印刷を行い（Ｓ１４）、以下、同様の処理を行う。記録紙が所定の種類でない場合（Ｓ１７：ＮＯ）、制御部１０は、記録紙の搬送を一旦停止し、印刷を中止し（Ｓ１８）、印刷中止処理を行うと共に、記録紙を排出させ（Ｓ１９）、操作部１８にエラー表示を行い、重送が生じたことを報知する（Ｓ２０）。
【００５３】
このように、記録紙が内部に空気層を有する所定の種類（封筒、ＯＨＰシート、ケント紙、又は和紙）の場合、重送が検出された場合であっても印刷処理を停止しないため、印刷処理を行うことが可能になる。
【００５４】
上述した実施の形態においては、記録紙が所定の種類（封筒、ＯＨＰシート、ケント紙、又は和紙）の場合、重送が検出された場合であっても印刷処理を停止しない構成であるが、記録紙が所定の種類の場合、重送の検出を停止することも可能である。また、内部に空気層を有するシートは、封筒、ＯＨＰシート、ケント紙、又は和紙に限定されない。
【００５５】
また、上述した各実施の形態においては、記録紙の重送を検出する手段として、超音波センサを用いる構成であったが、これに限定されるものではなく、例えば、光学センサなどを用いる構成であってもよい。しかし、光学センサを使用する場合、記録紙の搬送方向の長さを検出し、記録紙の先端と後端との間の距離は原稿の寸法よりも大きい場合に、重送であると検出するため、２枚の記録紙が全く重なった場合には、検出できない虞があり、検出精度の点では、超音波センサが優れている。
【図面の簡単な説明】
【００５６】
【図１】本発明に係るシート搬送装置を備える画像形成装置の概略構成を示す模式図である。
【図２】本発明に係る画像形成装置の内部構成を示すブロック図である。
【図３】超音波センサの構成を示すブロック図である。
【図４】記録紙の重送の例を示す図である。
【図５】記録紙への画像形成処理の手順を示すフローチャートである。
【符号の説明】
【００５７】
２  原稿搬送部
３  スキャナ部
４  画像形成部
５  後処理部
６  多段給紙ユニット
８  超音波センサ
１０  制御部
１１  記憶部
１４  インタフェース部
１５  画像処理部
１６  バッファメモリ
１８  操作部
３０  画像読取部
５２、５３  ガイド
５１ａ、５１ｂ、５１ｃ  トレイ
５４ａ、５４ｂ、５４ｃ  記録紙センサ
【図１】
2007168928.tif 000003
【図２】
2007168928.tif 000004
【図３】
2007168928.tif 000005
【図４】
2007168928.tif 000006
【図５】
2007168928.tif 000007